(57)【要約】【課題】撮影装置が、より複雑な条件での撮影に対応できるようにする。【解決手段】撮影装置が、画像を取得する画像取得部と、前記画像取得部が取得した第一画像のうち電子機器の画面の領域を検出する画面検出部と、前記第一画像における前記電子機器の画面の領域の明るさに基づいて、画像の明るさのパラメータを調整するパラメータ調整部と、前記パラメータ調整部が調整したパラメータに基づいて前記画像取得部が取得した画像のうち前記電子機器の画面の領域の画像である第二画像を取得する画面領域画像取得部と、を備える。【選択図】図１
2018174505.tif 000002
【特許請求の範囲】
【請求項１】
画像を取得する画像取得部と、
前記画像取得部が取得した第一画像のうち電子機器の画面の領域を検出する画面検出部と、
前記第一画像における前記電子機器の画面の領域の明るさに基づいて、画像の明るさのパラメータを調整するパラメータ調整部と、
前記パラメータ調整部が調整したパラメータに基づいて前記画像取得部が取得した画像のうち前記電子機器の画面の領域の画像である第二画像を取得する画面領域画像取得部と、
を備える撮影装置。
【請求項２】
前記画像取得部は、前記電子機器と書類とを撮影した前記第一画像を取得する、
請求項１に記載の撮影装置。
【請求項３】
前記第二画像の明るさが所定範囲外であると判定した場合、所定の処理を行う明るさ不適切時処理部を備える、請求項１または請求項２に記載の撮影装置。
【請求項４】
前記第一画像に前記第二画像を貼り付ける画像処理部を備える、
請求項１から３のいずれか一項に記載の撮影装置。
【請求項５】
前記画像処理部は、前記第一画像に前記第二画像を貼り付けた画像に改ざん防止処理を行う、
請求項４に記載の撮影装置。
【請求項６】
取得した第一画像のうち電子機器の画面の領域を検出し、
前記第一画像における前記電子機器の画面の領域の明るさに基づいて、画像の明るさのパラメータを調整し、
調整したパラメータに基づいて得られた画像のうち前記電子機器の画面の領域の画像である第二画像を取得する、
ことを含む画像取得方法。
【請求項７】
コンピュータに、
取得した第一画像のうち電子機器の画面の領域を検出させ、
前記第一画像における前記電子機器の画面の領域の明るさに基づいて、画像の明るさのパラメータを調整させ、
調整したパラメータに基づいて得られた画像のうち前記電子機器の画面の領域の画像である第二画像を取得させる
ためのプログラム。
【発明の詳細な説明】
【技術分野】
【０００１】
本発明は、撮影装置、画像取得方法及びプログラムに関する。
【背景技術】
【０００２】
スタンド型スキャナなど撮影対象物とカメラ（画像取得部）とが離れている撮影装置で、周囲からの影響による撮影画像の明るさの変化に対応するための技術が提案されている。
例えば、特許文献１には、撮影画像に対する補正用データの生成のために専用の白基準シートを必要としない補正用データ生成装置が開示されている。この補正用データ生成装置は、画像データが示す画像のうち白紙の像以外の部分である非白紙部分を検出し、検出結果に基づいて補正用データ生成の可否を判定する。補正用データ生成可能と判定した場合、補正用データ生成装置は、画像データに基づいて補正用データを生成する。
【先行技術文献】
【特許文献】
【０００３】
【特許文献１】特開２０１６−１４４０９３号公報
【発明の概要】
【発明が解決しようとする課題】
【０００４】
撮影対象物とカメラとが離れている撮影装置が、より複雑な条件での撮影に対応できることが好ましい。例えば、１台の撮影装置が、スマートフォンなど電子機器の画面の撮影、及び、書類の撮影の両方に対応できることが好ましい。
【０００５】
本発明は、上述の課題を解決することのできる撮影装置、画像取得方法及びプログラムを提供することを目的としている。
【課題を解決するための手段】
【０００６】
本発明の第１の態様によれば、撮影装置は、画像を取得する画像取得部と、前記画像取得部が取得した第一画像のうち電子機器の画面の領域を検出する画面検出部と、前記第一画像における前記電子機器の画面の領域の明るさに基づいて、画像の明るさのパラメータを調整するパラメータ調整部と、前記パラメータ調整部が調整したパラメータに基づいて前記画像取得部が取得した画像のうち前記電子機器の画面の領域の画像である第二画像を取得する画面領域画像取得部と、を備える。
【０００７】
本発明の第２の態様によれば、画像取得方法は、取得した第一画像のうち電子機器の画面の領域を検出し、前記第一画像における前記電子機器の画面の領域の明るさに基づいて、画像の明るさのパラメータを調整し、調整したパラメータに基づいて得られた画像のうち前記電子機器の画面の領域の画像である第二画像を取得する、ことを含む。
【０００８】
本発明の第３の態様によれば、プログラムは、コンピュータに、取得した第一画像のうち電子機器の画面の領域を検出させ、前記第一画像における前記電子機器の画面の領域の明るさに基づいて、画像の明るさのパラメータを調整させ、調整したパラメータに基づいて得られた画像のうち前記電子機器の画面の領域の画像である第二画像を取得させるためのプログラムである。
【発明の効果】
【０００９】
この発明によれば、より複雑な条件での撮影に対応することができる。
【図面の簡単な説明】
【００１０】
【図１】本発明の実施形態に係る撮影装置の概略外形の例を示す斜視図である。
【図２】同実施形態に係る画像取得部の構成例を示す概略構成図である。
【図３】同実施形態に係る撮影装置の機能構成を示す概略ブロック図である。
【図４】同実施形態に係る画面検出部が検出する電子機器の画面の領域の例を示す図である。
【図５】同実施形態に係る画面領域画像取得部が取得する第二画像の例を示す図である。
【図６】同実施形態に係る撮影装置が書類の画像及び電子機器の画面の画像を取得する処理手順の例を示すフローチャートである。
【図７】本発明に係る撮影装置の最小構成の例を示す図である。
【発明を実施するための形態】
【００１１】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の実施形態に係る撮影装置の概略外形の例を示す斜視図である。図１に示すように、撮影装置１００は、載置台１１０と、支柱１２０と、画像取得部１３０と、操作入力部１６０とを備える。載置台１１０は、ガイド１１１を備える。また、図１では、撮影対象物９００の例としてスマートフォン（Smartphone）９１０と書類９２０とが載置台１１０に載置されている。スマートフォン９１０は電子機器の例に該当する。
【００１２】
撮影装置１００は、スタンド型スキャナであり、載置台１１０に載置された撮影対象物９００を撮影して画像を生成する。撮影装置１００は、例えば文字認識又はバーコードの読取など画像処理可能な明るさの画像を生成する。
特に、撮影装置１００は、電子機器の画面の撮影及び書類の撮影の両方に対応可能である。撮影装置１００は、電子機器と書類と同時に載置台１１０に載置されている状態で、電子機器の画面及び書類のそれぞれについて、画像処理可能な明るさの画像を生成する。
【００１３】
撮影装置１００が、電子機器の画面の撮影及び書類の撮影の両方に対応可能であることで、ユーザは、書類用、電子機器用それぞれに撮影装置を用意する必要がない。この点で、設備のコストを低減させることができ、また、撮影装置を設置するスペースが１台分で済む。
また、撮影装置１００が、電子機器と書類とが同時に載置台１１０に載置されている状態で、電子機器の画面及び書類のそれぞれについて画像処理可能な明るさの画像を生成ことで、ユーザは、書類及び電子機器を載置場所に載置する作業が１度で済む。この点で、ユーザの負担を低減させることができる。
【００１４】
載置台１１０は、撮影対象物９００の載置を受ける台である。撮影装置１００は、載置台１１０の上面のうち端部を除く所定範囲を画角として撮影を行うことで、載置台１１０に載置されている撮影対象物９００を撮影する。
ガイド１１１は、撮影装置１００が撮影する画像の向きに合わせて書類を載置するためのガイドである。ユーザは、載置台１１０に書類を載置する場合、書類の辺をガイド１１１に当接させて載置することで、書類の縦横を撮影画像の縦横に合わせることができる。
【００１５】
但し、載置台１１０が撮影装置１００の一部として構成されていなくてもよい。例えば、撮影装置１００を机上に立てて使用する形態とし、ユーザが、机上の撮影装置１００が撮影可能な領域に撮影対象物９００を載置するようにしてもよい。
また、撮影装置１００は、スタンド型スキャナに限らず、撮影対象物と撮影部とが離れている撮影装置であればよい。例えば、画像取得部１３０が載置台１１０の上方に天井から吊下げられて構成されていてもよい。
【００１６】
支柱１２０は、載置台１１０の上部に立てられて設けられ、画像取得部１３０を支持する。これにより、支柱１２０は、画像取得部１３０を載置台１１０の上面から所定の距離に固定する。
画像取得部１３０は、載置台１１０の方を向いて支柱１２０に支持され、載置台１１０に載置された撮影対象物９００を撮影する。画像取得部１３０は、撮影対象物９００を撮影することで撮影対象物９００の画像を画像データにて取得する。
【００１７】
特に、画像取得部１３０は、電子機器と書類とが載置台１１０に載置された状態で、電子機器と書類とを撮影した第一画像を取得する。ここでいう第一画像は、後述する電子機器の画面の画像取得のための明るさ調整前の状態で画像取得部１３０が取得する画像である。画像取得部１３０は、明るさ調整後の状態でも撮影を行って、電子機器の画面を読み取り可能な画像を取得する。
【００１８】
図２は、画像取得部１３０の構成例を示す概略構成図である。図２の例で、画像取得部１３０は、ミラー１３１と、レンズ群１３２と、イメージセンサ１３３とを備える。
ミラー１３１は、載置台１１０に載置された撮影対象物９００からの光をレンズ群１３２へ向けて反射させる。
レンズ群１３２は、ミラー１３１で反射してレンズ群１３２に入射する撮影対象物９００からの光を屈折させ、イメージセンサ１３３の撮影面に撮影対象物９００の像を結像させる。
【００１９】
イメージセンサ１３３は、撮影面に入射する光を電気信号に変換する。画像取得部１３０は、この電気信号をアンプで増幅してデジタル化することで、撮影画像を画像データにて生成する。
特に、イメージセンサ１３３は、撮影対象物９００が載置台１１０に載置された状態で、撮影対象物９００からの光を電気信号に変換する。画像取得部１３０は、この電気信号に基づいて撮影対象物９００の画像を生成する。
【００２０】
図３は、撮影装置１００の機能構成を示す概略ブロック図である。撮影装置１００は、図１及び図２に示す各部に加えて、表示部１７０と、記憶部１８０と、制御部１９０とを備える。制御部１９０は、画面検出部１９１と、パラメータ調整部１９２と、画面領域画像取得部１９３と、明るさ不足時処理部１９４と、画像処理部１９５とを備える。
【００２１】
操作入力部１６０は、例えば押ボタン等の入力デバイスを備え、ユーザ操作を受ける。例えば、操作入力部１６０は、画像取得部１３０に撮影を行わせるよう指示するシャッター操作を受ける。或いは、撮影装置１００が撮影対象物の載置台１１０への載置を自動的に検出して自動的に撮影を行うようにしてもよい。
表示部１７０は、例えば液晶パネル等の表示画面を備え、各種画像を表示する。特に表示部１７０は、画像取得部１３０が撮影した画像のうち電子機器の画面の領域の明るさを所定の明るさ以上に出来ない場合に、警報メッセージを表示する。
但し、撮影装置１００が警報を出力する方法は、表示部１７０がメッセージを表示する方法に限らない。例えば、撮影装置１００がスピーカを備え、警報メッセージの表示に加え、或いは代えて、音声にて警報を出力するようにしてもよい。
【００２２】
記憶部１８０は、各種データを記憶する。記憶部１８０は、撮影装置１００が備える記憶デバイスを用いて構成される。
制御部１９０は、撮影装置１００の各部を制御して各種処理を行う。制御部１９０は、撮影装置１００が備えるＣＰＵ（Central Processing Unit、中央処理装置）が記憶部１８０からプログラムを読み出して実行することで構成される。
【００２３】
画面検出部１９１は、画像取得部１３０が取得した第一画像のうち電子機器の画面の領域を検出する。
図４は、画面検出部１９１が検出する電子機器の画面の領域の例を示す図である。図４では、第一画像のうち電子機器の画像を含む部分が示されている。画面検出部１９１は、電子機器の画像のうち、画面の領域を検出し、検出した画面を含む矩形の領域Ａ１１を電子機器の画面の領域として検出している。領域Ａ１１は、縦横が第一画像の縦横に一致し、かつ、電子機器の画面の領域を全て含む矩形領域のうち最小の領域である。
【００２４】
但し、画面検出部１９１が検出する領域はこれに限らない。例えば、画面検出部１９１が、電子機器の画面の領域そのものを検出するようにしてもよい。
また、画面検出部１９１が電子機器の画面の領域を検出する方法は、特定の方法に限定されない。例えば、記憶部１８０が、電子機器の画像のテンプレートまたは特徴量を予め記憶しておき、画面検出部１９１が、パターンマッチングにて電子機器の画像を検出し、さらに、検出した電子機器の画像のうち画面の領域を特定するようにしてもよい。或いは、画面検出部１９１が、例えば深層学習（Deep Learning）等の機械学習を行って電子機器の画面の領域を検出するようにしてもよい。
【００２５】
パラメータ調整部１９２は、画面検出部１９１が、画像取得部１３０が取得した第一画像のうち電子機器の画面の領域を検出した場合に、その領域の明るさに基づいて、画像の明るさのパラメータを調整する。パラメータ調整部１９２が調整するパラメータの例として露光時間、及び、イメージセンサ１３３からの電気信号を増幅する際のゲインが挙げられるが、これらに限定されない。
【００２６】
画面領域画像取得部１９３は、第二画像を取得する。ここでいう第二画像は、パラメータ調整部１９２が調整したパラメータに基づいて画像取得部１３０が取得した画像のうち電子機器の画面の領域の画像である。
図５は、画面領域画像取得部１９３が取得する第二画像の例を示す図である。
図５の例では、画面領域画像取得部１９３は、パラメータ調整部１９２によるパラメータ調整後に画像取得部１３０が撮影した画像のうち、図４の領域Ａ１１に相当する領域の画像を第二画像として取得ている。パラメータ調整部１９２がパラメータを調整したことで、第二画像は、第一画像のうち電子機器の画面の領域よりも明るい画像となっている。
図５の例の場合、電子機器は、バーコードを画面に表示している。第二画像は、第一画像のうち電子機器の画面の領域よりも明るい画像となっていることで、バーコードの読取に、より適した画像となっている。
【００２７】
例えば、パラメータ調整部１９２がパラメータの調整を行った後に、画像取得部１３０が、第一画像の撮影時と同じ画角で撮影を行うなど、電子機器の画面の領域とそれ以外の領域とを含む画像を取得するようにしてもよい。この場合、画面領域画像取得部１９３は、画像取得部１３０が取得した画像のうち電子機器の画面の領域を第二画像として切り出す。
或いは、画像取得部１３０が、電子機器の画面にズームアップする、或いは、電子機器の画面の領域のみを画像データ化するなど、電子機器の画面の領域の画像データを生成するようにしてもよい。この場合、画面領域画像取得部１９３は、画像取得部１３０が生成した画像データを第二画像として取得する。
【００２８】
明るさ不足時処理部１９４は、第二画像の明るさが閾値よりも暗いと判定した場合、所定の処理を行う。例えば明るさ不足時処理部１９４は、第二画像の明るさが閾値よりも暗いと判定した場合、電子機器の画面が暗い旨の警報メッセージを表示部１７０に表示させる。
ここで、電子機器の画面が暗い原因の１つに、電子機器が節電モードに入って画面を暗くする或いは画面をオフにすることが考えられる。この場合、表示部１７０が表示する警報メッセージを参照したユーザが電子機器を操作して画面を明るい状態に戻し、画像取得部１３０が再び撮影を行うことで、電子機器の画面が明るく写っている画像を得られる。
但し、明るさ不足時処理部１９４が行う処理は、警報メッセージの出力に限定されない。例えば、明るさ不足時処理部１９４が電子機器を直接制御可能な場合、電子機器の画面を明るくするように、制御信号を電子機器に送信するようにしてもよい。
【００２９】
また、明るさ不足時処理部１９４が、第二画像の明るさが閾値（第一閾値）よりも暗いか否かの判定に加えて、或いは代えて、第二画像の明るさが閾値（第二閾値）よりも明るいか否かの判定を行うようにしてもよい。例えば、撮影装置が暗い環境下で高感度カメラを用いて撮影を行う場合、電子機器の画面が明るすぎる可能性がある。明るさ不足時処理部１９４が、このように電子機器の画面が明るすぎる場合を検出するようにしてもよい。
【００３０】
第二画像の明るさが第二閾値よりも明るいと判定した場合、明るさ不足時処理部１９４が、電子機器の画面が明るい場合の処理として予め定められている処理を行うようにしてもよい。例えば、明るさ不足時処理部１９４が、電子機器の画面が明るすぎる旨の警報メッセージを表示部１７０に表示させるようにしてもよい。あるいは、明るさ不足時処理部１９４が電子機器を直接制御可能な場合、電子機器の画面を暗くするように、制御信号を電子機器に送信するようにしてもよい。明るさ不足時処理部１９４が行う処理に応じて電子機器の画面が暗くなることで、画像取得部１３０は、画像処理部１９５が画像処理可能な明るさの電子機器の画面の画像を撮影し得る。
このように、明るさ不足時処理部１９４は、明るさ不適切時処理部の例に該当し、第二画像の明るさが所定範囲外であると判定した場合、所定の処理を行う。
【００３１】
画像処理部１９５は、例えば文字認識及びバーコードの読取などの画像処理を行う。
また、画像処理部１９５が、文字認識及びバーコードの読取などの画像処理に加えて、或いは代えて、第一画像に第二画像を貼り付ける画像処理を行うようにしてもよい。例えば、画像処理部１９５が、第一画像のうち、第二画像に相当する部分（電子機器の画面の領域）を第二画像で置き換えるようにしてもよい。
画像処理部１９５が、第一画像に第二画像を貼り付けることで、書類と電子機器の画面とのいずれも読取可能な１つの画像を得られ、いわば画像ファイルの一元化を行うことができる。これにより、ユーザは、１つに纏められた画像を管理すればよく、この点でユーザの負担が軽くて済む。
【００３２】
さらに、画像処理部１９５が、第一画像に第二画像を貼り付けて得られた画像に対して、電子署名を付与するなど改ざん防止処理を行うようにしてもよい。
画像処理部１９５が、第一画像に第二画像を貼り付けて得られた画像に対して改ざん防止処理を行うことで、得られた画像が、書類と電子機器とが同時に載置台１１０に載置されて撮影された画像であることを示すことができる。この点で、画像処理部１９５は、書類の撮影と電子機器の画面の撮影との同時性を示すことができる。例えばユーザは、電子機器の画面と、新聞紙など日付が記載された物とを撮影装置１００が撮影した画像を、電子機器の画面が表示されていた日付を示す証拠として用いることができる。
【００３３】
次に図６を参照して撮影装置１００の動作について説明する。
図６は、撮影装置１００が書類の画像及び電子機器の画面の画像を取得する処理手順の例を示すフローチャートである。図６では、電子機器がスマートフォンである場合を例に説明するが、撮影装置１００が撮影する電子機器はスマートフォンに限定されない。例えば、撮影装置１００が撮影する電子機器は、小型のタブレット端末装置であってもよい。
【００３４】
図６の処理で、画像取得部１３０が撮影を行って載置台１１０の画像を取得する（ステップＳ１１１）。載置台１１０に書類及びスマートフォンが載置されている場合、画像取得部１３０が撮影する画像には、これら書類及びスマートフォンが写っている。但し、パラメータ調整部１９２がパラメータを調整する前の画像では、スマートフォンの画面の画像が暗く、画像処理部１９５がスマートフォンの画面の画像に対して画像処理を行うことはできない。
【００３５】
次に、画像処理部１９５は、ステップＳ１１１で得られた画像に写っている書類の画像に対して、例えば文字認識等の画像処理を行う（ステップＳ１１２）。
また、画面検出部１９１は、ステップＳ１１１で得られた画像のうち、スマートフォンが写っている領域を検出する処理を行う（ステップＳ１１３）。そして、画面検出部１９１は、スマートフォンの検出に成功したか否かを判定する（ステップＳ１１４）。検出に失敗したと判定した場合（ステップＳ１１４：ＮＯ）。図６の処理を終了する。この場合、載置台１１０にスマートフォンが載置されていないことが考えられる。
【００３６】
一方、スマートフォンの検出に成功したと判定した場合（ステップＳ１１４：ＹＥＳ）、画面検出部１９１は、スマートフォンが写っている領域からスマートフォンの画面の画像を切り出す（ステップＳ１２１）。
パラメータ調整部１９２は、画面検出部１９１が切り出したスマートフォンの画面の画像の明るさを検出する（ステップＳ１２２）。例えば、パラメータ調整部１９２は、スマートフォンの画面の画像の画素値に基づいて、スマートフォンの画面の画像全体の明るさを算出する。
【００３７】
次に、パラメータ調整部１９２は、ステップＳ１２２で検出した明るさが適切な明るさか否かを判定する（ステップＳ１２３）。例えば、パラメータ調整部１９２は、ステップＳ１２２で検出した明るさが所定の範囲内に含まれているか否かを判定する。
適切な明るさであると判定した場合（ステップＳ１２３：ＹＥＳ）、画像処理部１９５は、スマートフォンの画面の画像に対して、例えば画面に表示されているバーコードを読み取る等の処理を行う（ステップＳ１３１）。
【００３８】
一方、ステップＳ１２２で検出した明るさが適切な明るさでないと判定した場合（ステップＳ１２３：ＮＯ）、パラメータ調整部１９２は、ステップＳ１２２で検出した明るさが、エラー閾値以上か否かを判定する（ステップＳ１４１）。ここでいうエラー閾値は、パラメータの設定では対応が困難な明るさの閾値として予め定められている閾値である。
ステップＳ１２２で検出した明るさがエラー閾値以上であると判定した場合（ステップＳ１４１：ＹＥＳ）、パラメータ調整部１９２は、撮影パラメータを変更する（ステップＳ１５１）。例えば、スマートフォン画面の画像が暗い場合、パラメータ調整部１９２は、露光時間を長くし、イメージセンサ１３３からの電気信号を増幅する際のゲインの値を大きくする。
そして、画像取得部１３０は、ステップＳ１５１でパラメータ調整部１９２が変更した撮影パラメータの条件下で載置台１１０を撮影して画像を取得する（ステップＳ１５２）。
ステップＳ１５２の後、ステップＳ１２１へ戻る。
【００３９】
一方、ステップＳ１２２で検出した明るさがエラー閾値よりも小さいと判定した場合（ステップＳ１４１：ＮＯ）、明るさ不足時処理部１９４が、スマートフォンの画面の明るさが不足している旨を示す警報メッセージを表示する（ステップＳ１６１）。そして、所定時間の経過を待った後（ステップＳ１６２）、ステップＳ１２１へ戻る。ステップＳ１６２での時間待ちの間に、ユーザがスマートフォンの画面を明るくする操作を行うことで、画像取得部１３０は、画像処理部１９５が画像処理可能な明るさのスマートフォンの画面の画像を撮影し得る。
【００４０】
以上のように、画面検出部１９１は、画像取得部１３０が撮影した第一画像のうち電子機器の画面の領域を検出する。パラメータ調整部１９２は、第一画像における電子機器の画面の領域の明るさに基づいて、画像の明るさのパラメータを調整する。画面領域画像取得部１９３は、パラメータ調整部１９２が調整したパラメータに基づいて画像取得部１３０が撮影した画像のうち電子機器の画面の領域の画像である第二画像を取得する。
これにより、撮影装置１００は、スマートフォンなど電子機器の画面の撮影、及び、書類の撮影の両方に対応できる。この点で、撮影装置１００によれば、より複雑な条件での撮影に対応できる。
【００４１】
また、画像取得部１３０は、電子機器と書類とを撮影した第一画像を取得する。
これにより、撮影装置１００は、電子機器と書類とが同時に載置台１１０に載置されている状態で、電子機器の画面の画像、書類の画像のいずれについても、適切な明るさの画像を得られる。ユーザが、載置台１１０へ電子機器を載置した後、書類に置き換える、或いは、載置台１１０へ書類を載置した後、電子機器に置き換えるといった置き換えを行う必要がない点で、ユーザの負担が小さくて済む。
【００４２】
また、明るさ不足時処理部１９４は、第二画像の明るさが所定範囲外であると判定した場合、所定の処理を行う。
例えば、明るさ不足時処理部１９４は、第二画像の明るさが閾値よりも暗いと判定した場合、所定の処理を行う。明るさ不足時処理部１９４が行う処理に応じて電子機器の画面が明るくなることで、画像取得部１３０は、画像処理部１９５が画像処理可能な明るさの電子機器の画面の画像を撮影し得る。
上記のように、明るさ不足時処理部１９４が、第二画像の明るさが閾値よりも暗いと判定した場合に加えて、或いは代えて、第二画像の明るさが閾値よりも明るいと判定した場合に所定の処理を行うようにしてもよい。明るさ不足時処理部１９４が行う処理に応じて電子機器の画面が明るくなることで、画像取得部１３０は、画像処理部１９５が画像処理可能な明るさの電子機器の画面の画像を撮影し得る。
【００４３】
また、画像処理部１９５は、第一画像に第二画像を貼り付ける。
画像処理部１９５が、第一画像に第二画像を貼り付けることで、書類と電子機器の画面とのいずれも読取可能な１つの画像を得られる。これにより、ユーザは、１つに纏められた画像を管理すればよく、この点でユーザの負担が軽くて済む。
【００４４】
また、画像処理部１９５は、第一画像に第二画像を貼り付けた画像に改ざん防止処理を行う。
画像処理部１９５が、第一画像に第二画像を貼り付けて得られた画像に対して改ざん防止処理を行うことで、得られた画像が、書類と電子機器とが同時に載置台１１０に載置されて撮影された画像であることを示すことができる。例えばユーザは、電子機器の画面と、新聞紙など日付が記載された物とを撮影装置１００が撮影した画像を、電子機器の画面が表示されていた日付を示す証拠として用いることができる。
【００４５】
次に、図７を参照して本発明の最小構成について説明する。
図７は、本発明に係る撮影装置の最小構成の例を示す図である。図７に示す撮影装置１０は、画像を取得する画像取得部１１と、画面検出部１２と、パラメータ調整部１３と、画面領域画像取得部１４とを備える。
かかる構成にて、画面検出部１２は、画像取得部１１が取得した第一画像のうち電子機器の画面の領域を検出する。パラメータ調整部１３は、第一画像における電子機器の画面の領域の明るさに基づいて、画像の明るさのパラメータを調整する。画面領域画像取得部１４は、パラメータ調整部１３が調整したパラメータに基づいて画像取得部１１が取得した画像のうち電子機器の画面の領域の画像である第二画像を取得する。
これにより、撮影装置１０は、電子機器の画面の撮影、及び、書類の撮影の両方に対応できる。この点で、撮影装置１０によれば、より複雑な条件での撮影に対応できる。
【００４６】
なお、制御部１９０の機能の全部または一部を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００４７】
以上、この発明の実施形態について図面を参照して詳述してきたが、具体的な構成はこの実施形態に限られるものではなく、この発明の要旨を逸脱しない範囲の設計等も含まれる。
【符号の説明】
【００４８】
１００  撮影装置
１１０  載置台
１１１  ガイド
１２０  支柱
１３０  画像取得部
１６０  操作入力部
１７０  表示部
１８０  記憶部
１９０  制御部
１９１  画面検出部
１９２  パラメータ調整部
１９３  画面領域画像取得部
１９４  明るさ不足時処理部
１９５  画像処理部
【図１】
2018174505.tif 000003
【図２】
2018174505.tif 000004
【図３】
2018174505.tif 000005
【図４】
2018174505.tif 000006
【図５】
2018174505.tif 000007
【図６】
2018174505.tif 000008
【図７】
2018174505.tif 000009
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
画像を取得する画像取得部と、
前記画像取得部が取得した画像であって電子機器と書類とを撮影した画像である第一画像のうち前記電子機器の画面の領域を検出する画面検出部と、
前記第一画像における前記電子機器の画面の領域の明るさに基づいて、画像の明るさのパラメータを調整するパラメータ調整部と、
前記パラメータ調整部が調整したパラメータに基づいて前記画像取得部が取得した画像のうち前記電子機器の画面の領域の画像である第二画像を取得する画面領域画像取得部と、
を備える撮影装置。
【請求項２】
前記第二画像の明るさが所定範囲外であると判定した場合、所定の処理を行う明るさ不適切時処理部を備える、請求項１に記載の撮影装置。
【請求項３】
前記第一画像に前記第二画像を貼り付ける画像処理部を備える、
請求項１または請求項２に記載の撮影装置。
【請求項４】
前記画像処理部は、前記第一画像に前記第二画像を貼り付けた画像に改ざん防止処理を行う、
請求項３に記載の撮影装置。
【請求項５】
取得した画像であって電子機器と書類とを撮影した画像である第一画像のうち前記電子機器の画面の領域を検出し、
前記第一画像における前記電子機器の画面の領域の明るさに基づいて、画像の明るさのパラメータを調整し、
調整したパラメータに基づいて得られた画像のうち前記電子機器の画面の領域の画像である第二画像を取得する、
ことを含む画像取得方法。
【請求項６】
コンピュータに、
取得した画像であって電子機器と書類とを撮影した画像である第一画像のうち前記電子機器の画面の領域を検出させ、
前記第一画像における前記電子機器の画面の領域の明るさに基づいて、画像の明るさのパラメータを調整させ、
調整したパラメータに基づいて得られた画像のうち前記電子機器の画面の領域の画像である第二画像を取得させる
ためのプログラム。
【手続補正２】
【補正対象書類名】明細書
【補正対象項目名】０００６
【補正方法】変更
【補正の内容】
【０００６】
本発明の第１の態様によれば、撮影装置は、画像を取得する画像取得部と、前記画像取得部が取得した画像であって電子機器と書類とを撮影した画像である第一画像のうち前記電子機器の画面の領域を検出する画面検出部と、前記第一画像における前記電子機器の画面の領域の明るさに基づいて、画像の明るさのパラメータを調整するパラメータ調整部と、前記パラメータ調整部が調整したパラメータに基づいて前記画像取得部が取得した画像のうち前記電子機器の画面の領域の画像である第二画像を取得する画面領域画像取得部と、を備える。
【手続補正３】
【補正対象書類名】明細書
【補正対象項目名】０００７
【補正方法】変更
【補正の内容】
【０００７】
本発明の第２の態様によれば、画像取得方法は、取得した画像であって電子機器と書類とを撮影した画像である第一画像のうち前記電子機器の画面の領域を検出し、前記第一画像における前記電子機器の画面の領域の明るさに基づいて、画像の明るさのパラメータを調整し、調整したパラメータに基づいて得られた画像のうち前記電子機器の画面の領域の画像である第二画像を取得する、ことを含む。
【手続補正４】
【補正対象書類名】明細書
【補正対象項目名】０００８
【補正方法】変更
【補正の内容】
【０００８】
本発明の第３の態様によれば、プログラムは、コンピュータに、取得した画像であって電子機器と書類とを撮影した画像である第一画像のうち前記電子機器の画面の領域を検出させ、前記第一画像における前記電子機器の画面の領域の明るさに基づいて、画像の明るさのパラメータを調整させ、調整したパラメータに基づいて得られた画像のうち前記電子機器の画面の領域の画像である第二画像を取得させるためのプログラムである。